(57)【特許請求の範囲】
【請求項１】
ロール紙からなる用紙と、この用紙を載置する用紙載置部と、この用紙載置部から搬送して前記用紙に所望の画像を印刷可能な印刷手段と、前記用紙を所定の長さに切断可能な用紙切断装置とを備え、
前記用紙切断装置は、長尺状の固定刃と、この固定刃に弾接して前記固定刃に沿って移動することにより前記用紙を切断可能な回転刃と、前記回転刃を回転自在に支持するキャリッジとを有し、
前記キャリッジは、前記用紙の搬送を邪魔しない位置で、前記用紙切断前に位置するホームポジションと、前記用紙の切断後に位置する移動終端ポジションとを有してなり、
前記用紙載置部から前記印刷手段側への前記用紙の搬送方向における前記用紙切断装置より下流側に、前記用紙を所定長さ搬送して、前記用紙切断装置で前記用紙を切断し、前記キャリッジが前記移動終端ポジションに位置している間に、切断により新たにできた前記用紙の先端部を、前記用紙切断装置より更に前記下流側に搬送して、前記用紙から切り離した切断済み用紙を押して排紙するようにしたことを特徴とするロール紙を使用するプリンタ。
【請求項２】
前記新たにできた前記用紙の先端部で前記切断済み用紙を排紙後、前記用紙の先端部を前記搬送方向における前記用紙切断手段より上流側に戻し、その後、前記移動終端ポジションに位置する前記キャリッジを前記ホームポジションに戻すようにしたことを特徴とする請求項１記載のロール紙を使用するプリンタ。
【発明の詳細な説明】
【０００１】
【発明の属する技術分野】
本発明はロール紙を使用するプリンタに係わり、印刷後のロール紙を所望の長さに切断可能なロール紙を使用するプリンタに関する。
【０００２】
【従来の技術】
所望の画像を印刷したロール紙からなる用紙を切断可能な、用紙切断装置を有するロール紙を使用するプリンタが、印刷後の用紙の切断面を直線状で、きれいに切断できる等の理由により、パソコン等の出力装置として提案されている。
【０００３】
このような従来提案されているロール紙を使用するプリンタを、例えばシリアル方式のサーマルプリンタにおいて、図１１に基づいて説明すると、ロール紙からなる用紙１が用紙載置部２に載置されている。
また、用紙載置部２の図示左側には、紙送りローラ３と、この紙送りローラ３に所定の付勢力で圧接する圧接ローラ４とが配設されている。前記紙送りローラ３は右回転、または左回転の両方向に回転駆動可能になっている。
そして、紙送りローラ３と圧接ローラ４との間に用紙１を圧接狭持して、紙送りローラ３を図示左回転（反時計回り方向に回転）させると、用紙１が矢印Ａの搬送方向に搬送可能になっている。
また、紙送りローラ３を図示右方向（時計回り方向）に回転駆動すると、用紙１を矢印Ｂの方向に戻すことができるようになっている。
【０００４】
また、矢印Ａの搬送方向における紙送りローラ３の下流側には、平坦状で用紙１の幅寸法より幅広のプラテン５が配設され、このプラテン５の上方には、プラテン５に対して接離可能なサーマルヘッド６が配設されている。そして、サーマルヘッド６がヘッドアップ状態のプラテン５上には、紙送りローラ３の回転で搬送されてきた用紙１が位置するようになっている。
前記用紙１が普通紙の場合は、サーマルヘッド６と用紙１の間にインクリボン（図示せず）が位置するようになっている。
【０００５】
このような普通紙からなる用紙１に所望の画像を印刷するには、プラテン５とサーマルヘッド６との間に用紙１とインクリボンを位置させ、サーマルヘッド６をヘッドダウンさせてインクリボンを用紙１に圧接する。
そして、サーマルヘッド６の複数の発熱素子（図示せず）を印刷情報に従って選択的に発熱させながら、用紙１の幅方向である印刷行方向に搬送することにより、用紙１にインクリボンのインクが転写されて、用紙１に所望の画像を印刷できるようになっている。
【０００６】
また、用紙１の矢印Ａの搬送方向におけるサーマルヘッド６の下流側には、印刷後の用紙１を所定の長さに切断可能な用紙切断装置７が配設されている。
この用紙切断装置７は、印刷後搬送されて来る用紙１の上部に長尺状の固定刃８が配設されている。
また、固定刃８の刃先面８ａに接した状態で、固定刃８に沿って往復移動可能な回転刃９が配設され、この回転刃９はキャリッジ１０に回転自在に支持されている。
【０００７】
このような構成の従来提案されているロール紙を使用するプリンタの動作は、まず紙送りローラ３を反時計回り方向に回転させて、サーマルヘッド６の発熱素子（図示せず）に用紙１の最初の印刷行を位置合わせする。
そして、サーマルヘッド６をヘッドダウンさせて、発熱素子を選択的に発熱させながらプラテン５に沿って印刷行方向に移動させると、最初の印刷行が印刷される。その後、サーマルヘッド６をヘッドアップして、サーマルヘッド６を印刷前の位置に戻す。このような動作を繰り返すことにより、用紙１の印刷領域に所望の画像を印刷することができる。
【０００８】
この時、用紙１は、所望の画像印刷が終わった印刷領域が、矢印Ａの搬送方向における用紙切断装置７より下流側に搬送される。
そして、用紙切断装置７のキャリッジ１０を固定刃８に沿って移動させることにより、回転刃９が回転して、固定刃８との間で用紙１を切断する。前記用紙１は、所望の画像を印刷した印刷領域が、カット紙状に切断されて切断済み用紙１ａが切り離される。
このような従来提案されているロール紙を使用するプリンタは、用紙を任意の長さで、直線状にきれいに切断することができ、パソコン等の出力装置として使用することができる。
【０００９】
【発明が解決しようとする課題】
しかし、従来提案されているロール紙を使用したプリンタは、用紙１を切断後のキャリッジ１０が切断前に位置していたホームポジションに戻ろうとすると、キャリッジ１０が切断されて切り離された切断済み用紙１ａに接触するおそれがあった。このような、用紙切断後ホームポジション側に移動中のキャリッジ１０が、切断済み用紙１ａに接触すると、切断済みの用紙１ａにシワ等が発生することがあった。
【００１０】
また、切断済み用紙１ａを切り離した用紙１は、新たにできた先端部が、紙送りローラ３の時計回り方向の回転で、固定刃８とサーマルヘッド６との間に戻されて、次の印刷指令が来るまで待機している。この時の用紙１は、次の印刷領域が紙送りローラ３と圧接ローラ４とで圧接されている。
そのために、次の印刷領域に印刷するまでの待機時間が長くなると、紙送りローラ３と圧接ローラ４とに圧接されている次の印刷領域に、圧接ローラ４の凹状の圧接痕（図示せず）ができる。
すると、圧接痕が発生した部分には、インクリボンのインクが転写されず、印刷不良になるおそれがあった。特に、用紙１が、例えば２枚の紙を貼り合わせたシール材のような場合は、待機時間が短くても、圧接痕ができて印刷不良になる問題があった。
【００１１】
本発明は、前述したような問題点に鑑みてなされたもので、ロール紙からなる用紙を切断して切り離した切断済み用紙を確実に排紙して、用紙切断後の回転刃を有するキャリッジがホームポジションに戻るときに、切断済み用紙に接触しないようにすると共に、印刷待機時に用紙の先端部を圧接ローラ近傍まで戻して、印刷領域内に圧接ローラが位置しないようにしたロール紙を使用するプリンタを提供すること目的とするものである
【００１２】
【課題を解決するための手段】
前記課題を解決するための第１の解決手段として本発明のロール紙を使用するプリンタは、ロール紙からなる用紙と、この用紙を載置する用紙載置部と、この用紙載置部から搬送して前記用紙に所望の画像を印刷可能な印刷手段と、前記用紙を所定の長さに切断可能な用紙切断装置とを備え、前記用紙切断装置は、長尺状の固定刃と、この固定刃に弾接して前記固定刃に沿って移動することにより前記用紙を切断可能な回転刃と、前記回転刃を回転自在に支持するキャリッジとを有し、前記キャリッジは、前記用紙の搬送を邪魔しない位置で、前記用紙切断前に位置するホームポジションと、前記用紙の切断後に位置する移動終端ポジションとを有してなり、前記用紙載置部から前記印刷手段側への前記用紙の搬送方向における前記用紙切断装置より下流側に、前記用紙を所定長さ搬送して、前記用紙切断装置で前記用紙を切断し、前記キャリッジが前記移動終端ポジションに位置している間に、切断により新たにできた前記用紙の先端部を、前記用紙切断装置より更に前記下流側に搬送して、前記用紙から切り離した切断済み用紙を押して排紙するような構成とした。
【００１３】
また、前記課題を解決するための第２の解決手段として、前記用紙切断装置は、 前記新たにできた前記用紙の先端部で前記切断済み用紙を排紙後、前記用紙の先端部を前記搬送方向における前記用紙切断手段より上流側に戻し、その後、前記移動終端ポジションに位置する前記キャリッジを前記ホームポジションに戻すような構成とした。
【００１７】
【発明の実施の形態】
以下、本発明のロール紙を使用するプリンタを、図１から図１０に基づいて説明する。まず、図１は本発明に関するロール紙を使用するプリンタの要部断面図であり、図２は図１の要部斜視図であり、図３は本発明に係わる用紙切断装置の側面図であり、図４は図３の要部断面図であり、図５は本発明に関する用紙切断装置の要部斜視図であり、図６〜図１０は本発明のロール紙を使用するプリンタの動作を説明する平面図である。
【００１８】
本発明のロール紙を使用するプリンタの１実施の形態を、図１に示すような、例えばシリアル方式のサーマルプリンタで説明すると、ロール紙からなる用紙１１は、ロール部１１ａが図示右側の用紙載置部１２に載置されている。
また、用紙載置部１２の図示左側には、用紙搬送手段である紙送りローラ１３と、この紙送りローラ１３に所定の圧接圧で圧接する圧接ローラ１４とが配設されて、用紙載置部１２のロール部１１ａから引き出された用紙１１を、後述する印刷手段であるプラテン１５とサーマルヘッド１６との間への搬送方向に搬送可能になっている。
前記紙送りローラ１３は、矢印Ｃ、または矢印Ｄ方向に回転駆動可能になっている。
【００１９】
そして、紙送りローラ１３と圧接ローラ１４との間に用紙１１を圧接狭持して、紙送りローラ１３を矢印Ｃ方向に回転駆動すると、用紙１１が矢印Ｅの搬送方向に搬送可能になっている。また、紙送りローラ１３を矢印Ｄ方向に回転駆動すると、用紙１１は矢印Ｅと反対方向の矢印Ｆの方向に戻すことができるようになっている。
また、用紙１１の矢印Ｅの搬送方向における紙送りローラ１３の下流側には、印刷手段である、平坦状で長尺状のプラテン１５と、このプラテン１５に対して接離（ヘッドアップ／ダウン）可能で、プラテン１５に沿って往復移動可能なサーマルヘッド１６とが配設されている。
【００２０】
前記サーマルヘッド１６には複数の発熱素子（図示せず）が形成されている。そして、用紙１１が普通紙の場合は、プラテン５とサーマルヘッド６との間に、インクリボン（図示せず）を位置させて、サーマルヘッド１６の複数の発熱素子を印刷情報に従って選択的に発熱させながら、プラテン１５の長手方向に沿って移動させることにより、インクリボンのインクが転写されて、用紙１１に所望の画像を印刷できるようになっている。
【００２１】
また、用紙１１の矢印Ｅの搬送方向におけるサーマルヘッド６の下流側には、用紙１１を所定の長さに切断可能な、用紙切断装置１７が配設されている。
この用紙切断装置１７は、用紙１１の幅寸法より長く形成された、長尺状の鋼板からなる固定刃１８を有し、この固定刃１８は、ヘッドアップ状態のサーマルヘッド１６とプラテン１５との間を矢印Ｅの搬送方向に搬送される用紙１１の上部に配設されている。
【００２２】
前記固定刃１８の図示左側の端面には、刃先面１８ａが形成されている。また、固定刃１８は、後述するキャリッジ２４を固定刃１８に沿って移動可能に支持するレール部材１９を有し、このレール部材１９は、固定刃１８と共にネジ等で後述するガイド部材２５にネジ止めされて、ガイド部材２５から取り外し可能になっている。
また、レール部材１９には、後述するキャリッジ２４の第１係合部２４ｂが係合可能なガイド溝１９ａが形成されている。
【００２３】
前記固定刃１８の刃先面１８ａには、外周部にシャープな刃先部分を有する回転刃２０が弾接している。
前記回転刃２０は、図３、４に示すように、円盤状のフライホイル２１の側面にネジ止めされている。そして、フライホイル２１は、固定刃１８の下部に配設されており、フライホイル２１の外周部には、摩擦係数の大きなゴム等からなるＯリング２２が取り付けられている。
また、回転刃２０とフライホイル２１の回転中心には、カッター軸２３が挿通されている。
【００２４】
前記カッター軸２３は、樹脂材料からなるキャリッジ２４に軸支されて、フライホイル２１に取り付けた回転刃２０が回転自在になっている。
前記キャリッジ２４には、空洞状のカッター装着部２４ａが形成され、このカッター装着部２４ａに回転刃２０とフライホイル２１が位置するようになっている。また、キャリッジ２４は、図示右側面のカッター軸２３近傍に、金属製のガイド部材２５が係合可能な溝状の第２係合部２４ｃが形成されている。
【００２５】
前記ガイド部材２５は、固定刃１８の下方に配設され、キャリッジ２４の第２係合部２４ｃが係合可能になっている。そして、固定刃１８とガイド部材２５との間には、所定の隙間からなる用紙搬送経路Ｙが形成されている。
前記レール部材１９を含む固定刃１８は、用紙１１の矢印Ｅ、Ｆの搬送を邪魔しない位置が、ネジ等によりガイド部材２５に取り外し可能に取り付けされている。
【００２６】
また、ガイド部材２５は、第２係合部２４ｃに係合する端部に、略直角に図示下方に折り曲げ形成した折り曲げ部２５ａが形成されている。
そして、ガイド部材２５と第２係合部２４ｃとにより、用紙１１を切断中に、回転刃２０が固定刃１８から離れる方向の動きを規制することができ、用紙１１を直線状にきれいに切断することができる。
前記回転刃２０を有するキャリッジ２４は、図６に示すように、用紙１１の幅寸法Ｌより外側で固定刃１８の一端部と他端部に、ホームポジションＨと移動終端ポジションＳとを有し、ホームポジションＨ、または移動終端ポジションＳにキャリッジ２４が位置していると、用紙１１の矢印Ｅ方向への搬送を邪魔しないようになっている。
【００２７】
前記ホームポジションＨには、用紙切断前で待機状態のキャリッジ２４が位置し、ホームポジションＨからキャリッジ２４を固定刃１８に沿って、矢印Ｇ方向に移動させて、用紙１１を切断後のキャリッジ２４は、移動終端ポジションＳに位置するようになっている。
また、図２に示す移動終端ポジションＳの右側端部には、移動終端ポジションＳに位置したキャリッジ２４を検出可能なスイッチ等からなる検出部材２６が配設されている。
前記検出部材２６が、移動終端ポジションＳに位置したキャリッジ２４を検出すると、キャリッジ２４は、移動終端ポジションＳで停止するようになっている。
【００２８】
また、図４に示すキャリッジ２４の下方には、後述するベルト２８を装着可能なベルト装着部２４ｄが形成されている。
また、回転刃２０から左側に突出するカッター軸２３には、コイルバネ２７が巻回されており、このコイルバネ２７の付勢力により、回転刃２０の外周部に形成した刃先部分が固定刃１８に確実に弾接するようになっている。
また、キャリッジ２４は、図５に示すように、下部のベルト装着部２４ｄにＶベルトからなるベルト２８が装着可能になっている。前記ベルト２８は、図１に示す用紙切断装置１７の下部に配設した、ベルト駆動ギア２９に張架されている。
【００２９】
そして、モータからなる駆動源３０を回転駆動させると、駆動源３０にギア連結されたベルト駆動ギア２９が回転し、ベルト２８を介してキャリッジ２４が、図２に示すように、固定刃１８に沿って、矢印Ｇ、Ｊ方向に往復移動可能なっている。
また、用紙１１の矢印Ｅの搬送方向における用紙切断装置１７の下流側には、図２に示すように、外周部がローレット状のギザギザ状に加工された排紙ローラ３１が配設されている。
【００３０】
このような本発明のロール紙を使用するプリンタの、動作を説明すると、まず、用紙載置部１２に載置したロール紙からなる用紙１１をロール部１１ａから引き出して、紙送りローラ１３と圧接ローラ１４との間に狭持する。
そして、紙送りローラ１３を矢印Ｃ方向に回転させて、用紙１１を矢印Ｅの搬送方向に搬送する。
そして、用紙１１の先端部がヘッドアップ状態のサーマルヘッド１６とプラテン１５との間を通過すると、用紙１１が感熱紙の場合は、サーマルヘッド１６をヘッドダウンさせて、プラテン１５との間に用紙１１を直接圧接狭持する。
【００３１】
また、用紙１１が普通紙の場合は、用紙１１とサーマルヘッド１６との間にインクリボン（図示せず）が供給されて狭持される。
この状態で、サーマルヘッド１６の複数の発熱素子（図示せず）を印刷情報に従って選択的に発熱させると共に、サーマルヘッド１６を矢印Ｇ方向の印刷行方向に移動させる動作を繰り返すことにより、用紙１１に所望の画像を印刷することができる。
【００３２】
そして、用紙１１を矢印Ｅ方向に搬送しながら、図６に示す用紙１１の印刷エリア１１ｂに画像印刷が終わると、図７に示すように、イン差宇ｔごの印刷エリア１１ｂが固定刃１８の左側に位置し、印刷後の用紙１１ｃの切断位置が、固定刃１８の刃先面１８ａに位置合わせされる。
次に、駆動源３０を駆動させて、ベルト２８を介してキャリッジ２４を矢印Ｇ方向に牽引することにより、回転刃２０が回転しながら固定刃１８に沿って移動する。
【００３３】
すると、印刷後の用紙１１ｃが切断されて、図８に示すように、用紙１１から切断済み用紙Ｍが切り離される。この時、切断済み用紙Ｍを切り離して新たにできた用紙１１の先端部１１ｄは、固定刃１８の刃先面１８ａと同じになる。
また、用紙１１を切断後のキャリッジ２４は、移動終端ポジションＳに位置すると共に、この移動終端ポジションＳに位置したキャリッジ２４を検出部材２６が検出する。
すると、キャリッジ２４は、移動終端ポジションＳに停止し、この間に、紙送りローラ１３を矢印Ｃ方向に回転させて、図９に示すように、新たにできた用紙１１の先端部１１ｄを、矢印Ｅの搬送方向における固定刃１８より下流側に搬送する。
そして、用紙１１の先端部１１ｄが切断済み用紙Ｍの後端部１１ｆを押して、切断済み用紙Ｍが固定刃１８から離れた位置まで搬送される。
【００３４】
前記切断済み用紙Ｍが所定量固定刃１８から離れた位置に搬送されると、図示しない制御部が、紙送りローラ１３を矢印Ｄ方向に反転させて、用紙１１を矢印Ｆ方向に戻す。
そして、用紙１１の先端部１１ｄが、矢印Ｅの搬送方向における固定刃１８より上流側に位置すると、移動終端ポジションＳに位置していたキャリッジ２４が固定刃１８に沿って矢印Ｊ方向に移動して、ホームポジションＨに位置し、次の印刷エリア１１ｅに印刷が開始されるまで待機するようになっている。
【００３５】
このような本発明のロール紙を使用するプリンタは、用紙１１を切断後も、新たにできた先端部１１ｄが切断済みの用紙Ｍの後端部１１ｆを押して、切断済み用紙Ｍを固定刃１８から離れた位置に搬送して確実に排紙するので、移動終端ポジションＳからホームポジションＨに戻るキャリッジ２４に、切断済み用紙Ｍが接触することがなく、切断済み用紙Ｍにシワ等が発生することがない。
【００３６】
また、矢印Ｅの搬送方向における固定刃１８より上流側に戻される用紙１１の先端部１１ｄは、図１０に示すように、圧接ローラ１４近傍まで戻されると、紙送りローラ１３の回転が停止して、矢印Ｆ方向の搬送が終わる。
即ち、本発明のロール紙を使用するプリンタは、用紙１１の切断により、新たにできた用紙１１の先端部１１ｄを、矢印Ｅの用紙搬送方向における印刷手段より上流側の用紙搬送手段の一部である圧接ローラ１４近傍まで戻すようになっている。
【００３７】
このような、本発明のロール紙を使用するプリンタは、用紙１１の切断により新たにできた先端部１１ｄを、圧接ローラ１４近傍まで戻すことにより、図１０に示すように、用紙１１の次の印刷エリア１１ｅから圧接ローラ１４の圧接を外すことができ、
そのために、印刷前の待機時間が長くなって、圧接ローラ１４の圧接により用紙１１にできる圧接痕（図示せず）を、次の印刷エリア１１ｅから外すことができ、用紙１１に高品質な画像印刷を行うことができる。
【００３８】
また、本発明の実施の形態では、用紙１１を切断して新たにできた先端部１１ｄが、用紙１１から切り離された切断済み用紙Ｍを押して排紙すると共に、新たにできた用紙１１の先端部１１ｄを圧接ローラ１４近傍まで戻すような２つの動作を行うことができるプリンタで説明したが、本発明は、新たにできた先端部１１ｄが、切断済み用紙Ｍを押して排紙するだけの動作を行うプリンタでも良い。
また、新たにできた用紙１１の先端部１１ｄを、圧接ローラ１４近傍まで戻すだけのプリンタでも良い。
【００３９】
【発明の効果】
以上述べたように、本発明のロール紙を使用するプリンタは、ロール紙からなる用紙を切断することにより新たにできた用紙の先端部を、更に下流側に搬送して、用紙から切り離された切断済み用紙を押して排紙するようにしたので、切断済み用紙を確実に排紙することができ、移動終端ポジションからホームポジションに戻る用紙切断後のキャリッジが、切断済み用紙が接触することがなく、切断済み用紙にシワ等が発生することがない。
【００４０】
また、用紙の切断が終了して移動終端ポジションにキャリッジが位置している間に、用紙に新たにできた先端部を、用紙切断装置より更に下流側に搬送するようにしたので、切断済み用紙を排紙中にキャリッジが移動することなく、切断済み用紙を更に確実に排紙することができる。
【００４１】
また、切断済み用紙を新たにできた先端部で排紙後、用紙の先端部を搬送方向における用紙切断手段より上流側に戻し、移動終端ポジションに位置するキャリッジをホームポジションに戻すようにしたので、ホームポジションに戻るキャリッジが、用紙に接触することがなく、切断前の用紙のシワ等の発生を防ぐことができる。
【００４２】
また、用紙切断により新たにできた用紙の先端部を、用紙搬送手段で搬送方向における印刷手段より上流側の用紙搬送手段近傍まで戻すようにしたので、印刷前の待機時間が長くなって、圧接ローラの圧接により用紙にできる圧接痕を、印刷エリアから外すことができる。
そのために、印刷エリアに圧接痕のような凹みがないために、用紙に高品質な画像印刷を行うことができる。特に、２枚の用紙を粘着したシール材等を使用するプリンタにおいて効果が大きい。
【００４３】
また、用紙搬送手段は、一方と他方の両方向に回転駆動可能な紙送りローラと、この紙送りローラに圧接すると共に、紙送りローラに追従して回転可能な圧接ローラとからなり、切断により新たにできた用紙の先端部を、圧接ローラ近傍まで戻すようにしたので、圧接ローラの直径寸法が小さくて、圧接痕が深くなっても、印刷エリアに圧接痕ができることがなく、高品質な画像印刷が可能なロール紙を使用するプリンタを提供できる。
【図面の簡単な説明】
【図１】本発明に関するロール紙を使用するプリンタの要部断面図である。
【図２】図１の要部斜視図である。
【図３】本発明に係わる用紙切断装置の側面図である。
【図４】図３の要部断面図である。
【図５】本発明に関する用紙切断装置の要部斜視図である。
【図６】本発明のロール紙を使用するプリンタの動作を説明する平面図である。
【図７】本発明のロール紙を使用するプリンタの動作を説明する平面図である。
【図８】本発明のロール紙を使用するプリンタの動作を説明する平面図である。
【図９】本発明のロール紙を使用するプリンタの動作を説明する平面図である。
【図１０】本発明のロール紙を使用するプリンタの動作を説明する平面図である。
【図１１】従来のロール紙を使用するプリンタの側面概略図である。
【符号の説明】
１１  用紙
１２  用紙載置部
１３  紙送りローラ
１４  圧接ローラ
１５  プラテン
１６  サーマルヘッド
１７  用紙切断装置
１８  固定刃
１８ａ  刃先面
１９  レール部材
２０  回転刃
２１  フライホイル
２２  Ｏリング
２３  カッター軸
２４  キャリッジ
２４ａ  カッター装着部
２４ｂ  第１係合部
２４ｃ  第２係合部
２５  ガイド部材
２５ａ  折り曲げ部
２６  検出部材
【図１】
0003894751.tif 000002
【図２】
0003894751.tif 000003
【図３】
0003894751.tif 000004
【図４】
0003894751.tif 000005
【図５】
0003894751.tif 000006
【図６】
0003894751.tif 000007
【図７】
0003894751.tif 000008
【図８】
0003894751.tif 000009
【図９】
0003894751.tif 000010
【図１０】
0003894751.tif 000011
【図１１】
0003894751.tif 000012